(57)【要約】      （修正有）【課題】ボードの表裏両面にプリントを施すに際して、プリンター面へのボードの正確な位置への配置、および搬送ローラに接する面の疵を防止することを可能とするガイド枠を提供する。【解決手段】プリントすべきボードをセットするガイド枠であって、ガイド枠にセットされたボード２０は、インクジェットプリンターの搬送台の搬送ローラ２に載置され、プリンターヘッド３からの発射インクによって、所定のプリントが枠にセットされたボード２０の片面に施される。片面へのプリント終了後、枠からボードを取り出して、反転し、枠内にセットする。【選択図】図３
0003166418.tif 000002
【実用新案登録請求の範囲】
【請求項１】
プリンター面の全面と同一大きさと形状を有する枠縁を有し、同枠縁内にプリントすべきボードの大きさの空間を形成した枠材からなるプリントボードのガイド枠。
【請求項２】
ガイド枠の縁の高さは、プリントされるボードの厚みと同等の高さに形成されている請求項１に記載のプリントボードのガイド枠。
【考案の詳細な説明】
【技術分野】
【０００１】
本考案は、各種展示用ボード面のプリントに際して、ボードを位置決めするため、および、搬送ローラに接する面の疵を防止するためのガイド枠に関する。
【背景技術】
【０００２】
近年、展示用ボードとして、特許文献１，２に記載のように、マテリアルリサイクルに適した発泡プラスチック製のボードの両面に、インクジェットによるプリントが施されたものが多く用いられている。
【０００３】
このボード両面にインクジェットによるプリントを施すに当たっては、通常、プリンターによってボードの片面にプリントを施したのち、ボードを反転して裏面にプリントを施している。
【先行技術文献】
【特許文献】
【０００４】
【特許文献１】実用新案登録第３１４５９７４号
【特許文献２】特開２０１０−２５０２３１
【考案の概要】
【考案が解決しようとする課題】
【０００５】
ところが、プリントボードとしては、通常、脆くて柔らかいポリスチレンの発泡樹脂製のものが用いられているため、プリンターにセットする際、あるいは、片面のプリント後、プリント面を反転する際、搬送ローラにボードの角が接触して破損したり、搬送ローラで送る際、ローラに接する面を痛めたり、さらには、表裏のプリントの位置がずれる等の問題がある。
【０００６】
本考案の課題は、ボードの表裏両面にプリントを施すに際して、プリンター面へのボードの正確な位置への配置が可能で、ボードの裏面へのプリントに際してのプリント面の反転が簡単で、正確に、且つ、疵付きなしでの両面プリントを可能とする位置決めガイドを提供することにある。
【課題を解決するための手段】
【０００７】
本考案は、プリンター面の全面に対して、同一大きさと形状を有する枠縁と同枠縁内にプリントすべきボードの大きさの空間を形成した枠材からなるプリントボードのガイド枠である。
【０００８】
この枠縁内の空間としては、プリントに供せられるボードの規定の大きさのものを複数種類準備することによって、ボードの大きさ毎に枠の大きさを調整する必要がなくなる。
【０００９】
この枠の空間の大きさとしては、プリントすべきボードの大きさよりも僅かに大きく、且つ、その縁部の高さはボードの厚みとほぼ同等の高さに形成し底面を設けたものとする。このようにすることにより、プリントに際してボードを安定収納することができる。
【００１０】
また、ボードより僅かに大きく形成して、その内側の四隅に係止片を設けることにより、プリントに際してボードをより安定収納することもできる。
【００１１】
また、ガイド枠の縁の高さは、ほぼボードの厚みと同等の高さに形成することによって、ガイド枠によってボードの保護能を高めることができる。
【００１２】
さらには、ガイド枠の縁内面には窪みを設けて、ボードの反転、取り出しを便にすることもできる。
【考案の効果】
【００１３】
このガイド枠に両面プリントしたいボードをセットすることにより、ボードを搬送台や搬送ローラに直接触れさせることなく印刷することができ、両面印刷時のキズつきを解消することができる。
【００１４】
表裏のプリント位置を正確にセットできるので、表裏にズレがない印刷をすることが可能になる。
【００１５】
プリンターとして、幅センサーを設けたプリンターを使用する場合、センサーが黒を認識しないことを利用し、ガイド枠の色を黒にすることにより印刷するボードのみの幅を読み込ませることができ、プリンターの利用幅を拡大することが可能になる。
【図面の簡単な説明】
【００１６】
【図１】本考案のガイド枠とその使用のためのボードのセッティング状態を示す。
【図２】図１を水平方向から見た図である。
【図３】セッティングされたボードのプリンティング状態を示す。
【考案を実施するための形態】
【００１７】
以下、本考案を実施するための形態を、インクジェットによってプリントされる展示用ボードに例を挙げて説明する。
【実施例】
【００１８】
本考案のガイド枠とその使用のためのボードのセッティング状態を示す図１とそれを水平方向から見た図２において、１０は本考案のボードのガイド枠を示す。
【００１９】
このガイド枠１０は、硬質の黒色のプラスチックからなりガイド枠１０の縁１１の外面は、プリンターのプリント幅に作成され、枠の内面１２は、プリントするボード１の大きさよりも僅かに大きく、且つ、その縁部の高さはボード１の厚みとほぼ同じに形成されている。図１と図２において、２０はプリントのためにガイド枠にセットされたボードを示す。
【００２０】
図３は、枠にセットされたボード２０のインクジェットによるプリント状態を示す。同図に示すように、枠にセットされたボード２０は、インクジェットプリンターの搬送台の搬送ローラ２に載置され、プリンターヘッド３からの発射インクによって、所定のプリントが枠にセットされたボード２０の片面に施される。
【００２１】
その際、プリントされるボード１は、枠１０内にセットされているため、搬送ローラ２に触れることなく搬送されるので、プリントの過程で、ボード面には疵がつくことはない。
【００２２】
ボードが矢印の方向に移送されて、プリンターヘッド３を通過し、プリントが終了した後、枠はそのままにして、ボードのみを枠から取り出し、反転して、プリントした面を下面にして、裏面を上にして枠内にセットする。
【００２３】
その際、枠はボードの位置決めに機能し、先にプリントされた面とずれることはなく、プリンター面を逆走し、正確にプリント面を形成する。
【００２４】
また、幅センサーを設けたプリンターを使用する場合、センサーが黒を認識しないことを利用し、ガイド枠の色を黒にすることにより印刷するボードのみの幅を読み込ませることができるため、逆走させずに、ボード裏面を上にして枠内にセットしたガイド枠を、ボード表側を投入した方から再度搬送することができる。
【産業上の利用可能性】
【００２５】
本考案は、ボードへの印刷に際して、如何なるタイプのプリンターにも適用できる。
【符号の説明】
【００２６】
１  ボード
１１  縁      １２  枠内面
２  プリンターの搬送ローラ
３  プリンターヘッド
１０  本考案のボードのガイド枠  
２０  ガイド枠にセットされたボード
【図１】
0003166418.tif 000003
【図２】
0003166418.tif 000004
【図３】
0003166418.tif 000005